(57)【要約】【課題】その動画を代表するに適切なフレームを選び出して代表静止画とする映像機器を提供する。【解決手段】本発明による映像機器は、撮影済みの動画を記録する記録装置と、上記記録されている動画の中から、被写体人物の目を検出する目検出装置と、上記検出された目の有る画像を代表画像として送り出す送出装置と、を有する。【選択図】図１
2013005254.tif 000002
【特許請求の範囲】
【請求項１】
撮影済みの動画を記録する記録装置と、
上記記録されている動画の中から、被写体人物の目を検出する目検出装置と、
上記検出された目の有る画像を代表画像として送り出す送出装置と、
を有する映像機器。
【請求項２】
上記目検出装置は、被写体人物の目が正面を見ていることを検出し、
上記送出装置は、目が有り且つ正面を見ている画像を代表画像として送り出す
ことを特徴とする請求項１に記載の映像機器。
【請求項３】
被写体人物の目の大きさを計測する目計測装置を更に有し、
上記送出装置は、目が有り、且つ目の大きさが所定値以上であり、且つ正面を見ている画像を代表画像として送出する
ことを特徴とする請求項２に記載の映像機器。
【請求項４】
上記記録されている動画の中から、被写体人物の顔の向きを検出する顔検出装置を更に有し、
上記送出装置は、目が有り、且つ目の大きさが所定値以上であり、且つ正面を見ていて、且つ正面を向いている画像を代表画像として表示する
ことを特徴とする請求項３に記載の映像機器。
【請求項５】
上記送り出される画像を表示する表示装置を更に有し、
上記表示装置は、表示画面を複数の部分に分割して各々に異なる上記送り出される画像を表示する
ことを特徴とする請求項１乃至４に記載の映像機器。
【請求項６】
上記送り出される画像の数に応じて、上記分割数を変更する
ことを特徴とする請求項５に記載の映像機器。
【請求項７】
動画を撮影する撮影装置と、
上記動画撮影中に被写体人物の目を検出する目検出装置と、
上記撮影した動画と共に、上記目を検出した時の画像を代表画像としてを記録する記録装置と、
を有する映像機器。
【請求項８】
上記目検出装置は、被写体人物が撮影装置を見ていることを検出し、
上記記録装置は、被写体人物が撮影装置を見ている時の画像を代表画像として、動画と共に記録する
ことを特徴とする請求項７に記載の映像機器。
【請求項９】
被写体人物の目の大きさを計測する目計測装置を更に有し、
上記記録装置は、被写体人物の目の大きさが所定値以上である時の画像を代表画像として、動画と共に記録する、
ことを特徴とする請求項８に記載の映像機器。
【請求項１０】
被写体人物の顔の向きを検出する顔検出装置を更に有し、
上記記録装置は、被写体人物の顔が撮影装置に向いている時の画像を代表画像として、動画と共に記録する
ことを特徴とする請求項９に記載の映像機器。
【請求項１１】
上記動画且つ／又は上記代表画像を表示する表示装置を更に有する
ことを特徴とする請求項７乃至１０に記載の映像機器。
【発明の詳細な説明】
【技術分野】
【０００１】
本発明は、動画の中から代表静止画像を選出して表示する映像機器、具体的には被写体人物の目線が撮影カメラを向いているフレームを代表画像として選出して表示する映像機器に関する。
【背景技術】
【０００２】
複数の動画から所望の動画を選ぼうとする際、各動画を再生せずに各動画の代表静止画を見て選ぶことが一般的である。
【０００３】
最近のデジタルカメラやビデオカメラには被写体人物の目線を検出する技術が搭載されているものがある。
【先行技術文献】
【特許文献】
【０００４】
【特許文献１】特開２００７−０９６４４０号公報
【特許文献２】特開２００８−０１１４５７号公報
【特許文献３】特開２００７−２４９５８８号公報
【特許文献４】特開２０１０−２１３１３６号公報
【発明の開示】
【発明が解決しようとする課題】
【０００５】
動画の最初のフレームを代表静止画として表示する映像機器が一般的であるが、動画の最初のフレームはその動画を代表するシーンではなくその動画の始まりとなるシーンであることが多い。つまり、動画の最初のフレームを代表静止画とするのは適切ではなく、動画の途中のフレームを代表静止画とするほうが適切である。
【０００６】
しかし、動画の途中のフレームであっても、単に真ん中のフレームでは適切な代表静止画になるとは限らない。また代表静止画を撮影時に撮影者が指示したり、再生時に鑑賞者が指示するのでは手間がかかるし、通り過ぎてしまったフレームを指示したくなる場合もある。
【０００７】
特開２００７−０９６４４０号公報に記載の撮像装置では、目線判断手段によってカメラ目線画像であると判断された際に、撮像素子に写し込まれた被写体像の画像情報を記憶するようにしているものの、この技術はカメラ目線の静止画を撮影するのみであり、動画については述べられていない。
【０００８】
特開２００８−０１１４５７号公報に記載のカメラでは、被写体である人物の視線が当該カメラに対して向けられていると判定された画像データのみを選択して表示部に表示するようにしているものの、撮影済みの複数の画像データ（静止画）の中から選択するのみであり、動画については述べられていない。
【０００９】
特開２００７−２４９５８８号公報に記載の顔画像登録装置では、あらかじめ定められた代表条件に一致する少なくとも１つの顔画像を、代表顔画像として上記動画像から抽出するようにしているものの、代表条件の一例として正面を向いた顔が挙げられているのみであり、被写体人物の目線については述べられていない。
【００１０】
特開２０１０−２１３１３６号公報に記載の画像処理装置では、動画データの記録中における顔または笑顔検出情報を入力し、顔または笑顔検出フレームをインデックス用静止画としてメディアに記録するようにしているものの、顔または笑顔を検出するのみであり、被写体人物の目線については述べられていない。
【００１１】
本発明は上記課題に鑑み、その動画を代表するに適切なフレームを選び出して代表静止画とする映像機器を提供することを目的とする。
【課題を解決するための手段】
【００１２】
上記目的を達成するために、第１の発明に係る映像機器は、撮影済みの動画を記録する記録装置と、上記記録されている動画の中から、被写体人物の目を検出する目検出装置と、上記検出された目の有る画像を代表画像として送り出す送出装置を有することを特徴とする。
【００１３】
上記目的を達成するために、第２の発明に係る映像機器は、上記目検出装置は、被写体人物の目が正面を見ていることを検出し、上記送出装置は、目が有り且つ正面を見ている画像を代表画像として送り出すことを特徴とする。
【００１４】
上記目的を達成するために、第３の発明に係る映像機器は、被写体人物の目の大きさを計測する目計測装置を更に有し、上記送出装置は、目が有り、且つ目の大きさが所定値以上であり、且つ正面を見ている画像を代表画像として送出することを特徴とする。
【００１５】
上記目的を達成するために、第４の発明に係る映像機器は、上記記録されている動画の中から、被写体人物の顔の向きを検出する顔検出装置を更に有し、上記送出装置は、目が有り、且つ目の大きさが所定値以上であり、且つ正面を見ていて、且つ正面を向いている画像を代表画像として表示することを特徴とする。
【００１６】
上記目的を達成するために、第５の発明に係る映像機器は、上記送り出される画像を表示する表示装置を更に有し、上記表示装置は、表示画面を複数の部分に分割して各々に異なる上記送り出される画像を表示することを特徴とする。
【００１７】
上記目的を達成するために、第６の発明に係る映像機器は、上記送り出される画像の数に応じて、上記分割数を変更することを特徴とする。
【００１８】
上記目的を達成するために、第７の発明に係る映像機器は、動画を撮影する撮影装置と、上記動画撮影中に被写体人物の目を検出する目検出装置と、上記撮影した動画と共に、上記目を検出した時の画像を代表画像としてを記録する記録装置と、を有することを特徴とする。
【００１９】
上記目的を達成するために、第８の発明に係る映像機器は、上記目検出装置は、被写体人物が撮影装置を見ていることを検出し、上記記録装置は、被写体人物が撮影装置を見ている時の画像を代表画像として、動画と共に記録することを特徴とする。
【００２０】
上記目的を達成するために、第９の発明に係る映像機器は、被写体人物の目の大きさを計測する目計測装置を更に有し、上記記録装置は、被写体人物の目の大きさが所定値以上である時の画像を代表画像として、動画と共に記録する、ことを特徴とする。
【００２１】
上記目的を達成するために、第１０の発明に係る映像機器は、被写体人物の顔の向きを検出する顔検出装置を更に有し、上記記録装置は、被写体人物の顔が撮影装置に向いている時の画像を代表画像として、動画と共に記録することを特徴とする。
【００２２】
上記目的を達成するために、第１１の発明に係る映像機器は、上記動画且つ／又は上記代表画像を表示する表示装置を更に有することを特徴とする。
【発明の効果】
【００２３】
本発明によれば、当該映像機器に顔が向いていて、目線があり、被写体人物が所定以上の大きさであるフレームをその動画の代表静止画とする映像機器を提供することができる。
【図面の簡単な説明】
【００２４】
【図１】図１は、本発明の第１実施形態に係る映像機器の構成を説明するためのブロック図である。
【図２】図２は、図１に係る動作の流れ図である。
【図３】図３は、図１、２に係る表示の態様である。
【図４】図４は、本発明の第２実施形態に係る映像機器の構成を説明するためのブロック図である。
【図５】図５は、図２に係る動作の流れ図である。
【発明を実施するための最良の形態】
【００２５】
［第１実施例］以下、本発明の第１実施形態を図１から図３に基づいて説明する。
【００２６】
図１は、本発明を適用した映像機器１０の主要構成を示すブロック図である。
【００２７】
記録装置１１は、映像機器１０の外部から複数の動画を取り込んで記録する。
【００２８】
操作部材１２は、映像機器１０を操作するための部材であり、ＰＷＳＷ１２ａは映像機器１０の電源をオン／オフする部材であり、再生ＳＷ１２ｂは指定された動画の再生を指示する部材であり、動画送りＳＷ１２ｃは記録装置１１に記録されている動画の指定を送る部材であり、インデックスＳＷ１２ｄは後述する代表静止画の表示態様を指示する部材である。
【００２９】
目検出装置１３は、記録装置１１に記録されている各動画の中から被写体人物の目が写っているフレームを検出する。
【００３０】
目大きさ検出装置１４は、記録装置１１に記録されている各動画の中から被写体人物の目の大きさを検出する。
【００３１】
顔向き検出装置１５は、記録装置１１に記録されている各動画の中から被写体人物の顔の向きを検出する。
【００３２】
目線検出装置１６は、記録装置１１に記録されている各動画の中から被写体人物の目線を検出する。
【００３３】
バッファ１９は、記録装置１１に記録されている各動画や、各動画の代表静止画を一時的に記録する。
【００３４】
送出装置１７は、記録装置１１に記録されている各動画や、各動画の代表静止画を表示装置１８へ送出する。
【００３５】
表示装置１８は、送出装置１７からの動画や静止画を受け取って、表示する。
【００３６】
図２は、図１に示した映像機器１０の動作を表す流れ図である。
【００３７】
動作を開始すると電源がオンになっているかどうか（ＰＷＳＷ１２ａがオンかどうか）判断する（ステップＳ１０）。電源がオフならばそのまま終了する。
【００３８】
電源がオンならば、記録装置１１に記録されている動画を一つ取り出す（ステップＳ１１）。そして動画の最初のフレームを画像処理して、目や顔を検出する。
【００３９】
まず目検出装置１３が目を検出し（ステップＳ１２）、目があれば次に、目大きさ検出装置１４がその目の大きさを検出する（ステップＳ１３）。
【００４０】
目の大きさをが所定値以上ならば次に、顔向き検出装置１５が顔の向きを検出する（ステップＳ１４）。
【００４１】
顔が正面を向いているならば次に、目線検出装置１６が目線を検出する（ステップＳ１５）。
【００４２】
目線が映像機器１０に向いているならば、このフレームを代表静止画としてバッファ１９に記録する。
【００４３】
次にこのフレームが最後かどうか判断し（ステップＳ１７）、最後でなければ次のフレームを取り出す（ステップＳ１８）。
【００４４】
ステップＳ１２〜ステップＳ１５で検出されない場合も、ステップＳ１７へ来て同じ処理をする。
【００４５】
ステップＳ１７にて最後のフレームであれば、バッファ１９に記録したフレームを送出装置１７が表示装置１８へ送出して、表示する（ステップＳ１９）。
【００４６】
続いて、再生ＳＷ１２ｂの操作による再生指示があるかどうか判断し（ステップＳ２０）、指示があれば当該動画を再生表示する（ステップＳ２１）。
【００４７】
ステップＳ２０にて指示がなければ次に、動画送りＳＷ１２ｃの操作による動画送り指示があるかどうか判断し（ステップＳ２２）、指示があれば次の動画を取り出す（ステップＳ２３）。
【００４８】
ステップＳ２１の動画再生が終わった後や、ステップＳ２２で指示がない場合、ステップＳ２３で次の動画を取り出した後、ステップＳ１０へ戻って処理を続ける。
【００４９】
図３は本実施例にてバッファ１９に記録されているフレーム（代表静止画）を表示装置１８が表示する態様である。
【００５０】
図３ａはバッファ１９に記録されているフレーム（代表静止画）を一つだけ全画面に表示する態様であり、通常はこのように表示する。
【００５１】
インデックスＳＷ１２ｄの操作によりインデックス表示が指示されると、図３ｂのように四分割のインデックス表示する。図３ｂの四つの代表静止画は四つの動画それぞれの代表静止画である。
【００５２】
図３ｂの状態でインデックスＳＷ１２ｄの操作によりインデックス表示が指示されると、図３ｃのように九分割のインデックス表示する。図３ｃの九つの代表静止画は九つの動画それぞれの代表静止画である。
【００５３】
図３ｃの状態でインデックスＳＷ１２ｄを操作するとインデックス表示解除が指示され、全画面表示（図３ａ）に戻る。
【００５４】
以上のように本実施例の映像機器では、撮影済みの動画の各フレームを取り出し、被写体人物の顔や目を検出して、代表静止画を選ぶので、その動画に適した代表静止画が選ばれる。また、再生時に代表静止画を選ぶので、撮影時に特別の操作をする必要がないので、色々な動画に適用できる。
【００５５】
［第２実施例］以下、本発明の第２実施形態を図４と図５に基づいて説明する。
【００５６】
図４は、本発明を適用した映像機器１０の主要構成を示すブロック図である。本実施例の構成は第１実施例の構成とほぼ同じなので、第１実施例と同じ部分には同じ符号を付して説明を省略する。
【００５７】
撮影装置１９は、レンズ２０にて結像された被写体像を取り込んで動画を生成し、記録装置１１へ送る。
【００５８】
記録ＳＷ１２ｅ撮影の開始と終了を指示する部材である。
【００５９】
図５は、図４に示した映像機器１０の動作を表す流れ図である。
【００６０】
動作を開始すると電源がオンになっているかどうか（ＰＷＳＷ１２ａがオンかどうか）判断する（ステップＳ３０）。電源がオフならばそのまま終了する。
【００６１】
電源がオンならば、記録ＳＷ１２ｅがオンかどうか判断する（ステップＳ３１）。
【００６２】
記録ＳＷ１２ｅがオンならば撮影を開始する（ステップＳ３２）。そして撮影と同時に、撮影したフレームの画像処理して、目や顔を検出する。
【００６３】
まず目検出装置１３が目を検出し（ステップＳ３３）、目があれば次に、目大きさ検出装置１４がその目の大きさを検出する（ステップＳ３４）。
【００６４】
目の大きさをが所定値以上ならば次に、顔向き検出装置１５が顔の向きを検出する（ステップＳ３５）。
【００６５】
顔が正面を向いているならば次に、目線検出装置１６が目線を検出する（ステップＳ３６）。
【００６６】
目線が映像機器１０に向いているならば、このフレームを代表静止画として記録装置１１が記録して、ステップＳ３０へ戻って処理を続ける。
【００６７】
ステップＳ３３〜ステップＳ３６で検出されない場合も、ステップＳ３０へ戻って処理を続ける。
【００６８】
一方ステップＳ３１にて記録ＳＷ１２ｅがオフならば、撮影を終了し、記録装置１１に記録されている代表静止画を送出装置１７が表示装置１８へ送出して、表示する（ステップＳ３８）。
【００６９】
続いて、再生ＳＷ１２ｂの操作による再生指示があるかどうか判断し（ステップＳ３９）、指示があれば当該動画を再生表示する（ステップＳ４０）。
【００７０】
ステップＳ３９にて指示がなければステップＳ３０へ戻って処理を続ける。
【００７１】
代表静止画の表示態様は第１実施例と同じであり、図３に示した通りである。
【００７２】
以上のように本実施例の映像機器では、撮影時に被写体人物の顔や目を検出して、代表静止画を選ぶので、その動画に適した代表静止画が選ばれて、記録される。また、撮影時に代表静止画を記録するので、再生時には代表静止画を選び出すという手間がない。
【００７３】
上記第１実施例では映像機器として動画再生機器で説明し、上記第２実施例では映像機器として動画記録再生機器で説明したが、本発明はこれらの機器に限るものではなく、コンピュータ等の情報処理機器やカメラ付き携帯電話等の可搬機器にも適用して良い。
【００７４】
また、本発明は上記実施形態をそのままに限定されるものではなく、実施段階ではその要旨を逸脱しない範囲で構成要素を変形して具体化できる。また、上記実施形態に開示されている複数の構成要素の適宜な組合せにより、種々の発明を形成できる。例えば、実施形態にしめされる全構成要素から幾つかの構成要素を削除してもよい。さらに、異なる実施形態にわたる構成要素を適宜組合せてもよい。
【符号の説明】
【００７５】
１０・・・映像機器、１１・・・記録装置、１２・・・操作部材、１２ａ・・・ＰＷＳＷ、１２ｂ・・・再生ＳＷ、１２ｃ・・・動画送りＳＷ、１２ｄ・・・インデックスＳＷ、１２ｅ・・・記録ＳＷ、１３・・・目検出装置、１４・・・目大きさ検出装置、１５・・・顔向き検出装置、１６・・・目線検出装置、１７・・・送出装置、１８・・・表示装置、１９・・・バッファ、２０・・・撮影装置、２１・・・レンズ
【図１】
2013005254.tif 000003
【図２】
2013005254.tif 000004
【図４】
2013005254.tif 000005
【図３】
2013005254.tif 000006
【図５】
2013005254.tif 000007